(57)【特許請求の範囲】
【請求項１】
複数の遊技機が設置される設置島に延設され、それぞれの遊技機に対してメダルを搬送して供給するメダル供給搬送手段と、
前記設置島に延設され、それぞれの遊技機から排出されたメダルを回収して搬送するメダル回収搬送手段と、
前記メダル回収搬送手段で回収されたメダルを収容するとともに、前記メダル供給搬送手段にメダルを補給するメダル補給手段と、
を具備するとともに、前記設置島には、互いに異なる外径の大径メダル及び小径メダルが使用される遊技機が設置可能とされた遊技機のメダル補給装置であって、
前記メダル補給手段は、前記メダル回収搬送手段で回収されたメダルを小径メダルと大径メダルとに選別するメダル選別手段を具備し、当該メダル選別手段で選別された前記小径メダル又は大径メダルを任意選択的に前記メダル供給搬送手段に補給可能とされるとともに、
前記メダル供給搬送手段は、
前記メダル補給手段で補給された小径メダルを搬送する小径メダル搬送部、及び前記メダル補給手段で補給された大径メダルを搬送する大径メダル搬送部が形成された本体と、
該本体上に取り付けられるとともに、前記小径メダル搬送部側及び大径メダル搬送部側における前記遊技機の設置箇所に対応する部位に開口が形成された取付部材と、
該取付部材における前記小径メダル搬送部側の開口又は大径メダル搬送側の開口が形成された部位に脱着自在に取り付けられ、当該小径メダル搬送部又は大径メダル搬送部で搬送される小径メダル又は大径メダルを遊技機に供給可能なシュートと、
前記取付部材における前記小径メダル搬送部側の開口又は大径メダル搬送側の開口が形成された部位であって前記シュートが取り付けられない部位に脱着自在に取り付けられ、当該小径メダル搬送部又は大径メダル搬送部に形成された開口を塞ぐ側壁部を有した閉塞部材と、
を具備し、且つ、前記取付部材には、前記小径メダル搬送部と大径メダル搬送部とを隔成するための隔壁が一体形成されているとともに、当該隔壁の下端部に当該取付部材の長手方向に延びるスリットが形成されて構成され、前記取付部材は、その下部における両側縁部に本体用係止爪部が一体形成されるとともに、当該本体用係止爪部を前記本体に形成された被係止部に係止することにより、当該取付部材を前記本体に取り付け得ることを特徴とする遊技機のメダル補給装置。
【発明の詳細な説明】
【技術分野】
【０００１】
本発明は、設置島に設置された複数の遊技機のそれぞれに対してメダルを供給及び回収可能な遊技機のメダル補給装置に関するものである。
【背景技術】
【０００２】
遊技場に設置される設置島には、通常、スロットマシンやコインゲーム機などメダルを投入して遊技するものが並列に設置されたものがある。このようなメダルを使用する遊技機は、遊技の過程において、多数のメダルが供給されるとともに、多数のメダルが排出されるため、当該メダルをそれぞれの遊技機に対して自動的に供給及び回収させるべく、従来より、各設置島において、メダル補給装置が配設されている（特許文献１参照）。
【０００３】
かかる従来のメダル補給装置は、設置島の上部において長手方向に配設され、メダルを搬送しつつ各遊技機にメダルを供給するためのメダル供給搬送手段と、設置島の下部において長手方向に設置され、各遊技機から排出されたメダルを回収しつつ搬送するメダル回収搬送手段と、メダル回収搬送手段で搬送されたメダルを収容するとともに、その回収したメダルを揚送リフトにて揚送し、メダル供給手段にメダルを補給するメダル補給手段とを具備していた。
【先行技術文献】
【特許文献】
【０００４】
【特許文献１】特開２００５−３４９００９号公報
【発明の概要】
【発明が解決しようとする課題】
【０００５】
しかしながら、上記従来のメダル補給装置においては、以下の如き問題があった。即ち、遊技機で使用されるメダルは、一般に、直径が２５ｍｍのもの（小径メダル）と３０ｍｍのもの（大径メダル）とが広く普及しており、遊技機の種類によって使用されるメダルの種類（小径メダル又は大径メダル）が異なっているのが実情である。然るに、従来のメダル補給装置は、同一径のメダルを自動的に供給、回収及び補給することは可能であるものの、異なる径のメダルを供給等することができず、１つの設置島には、小径メダル又は大径メダルの何れか一方を使用する遊技機しか設置できない。
【０００６】
一方、小径メダルを使用する遊技機が設置された設置島と大径メダルを使用する遊技機が設置された設置島とを隣接させて一つの設置島の如く配設することにより、小径メダル及び大径メダルの何れを使用する遊技機も設置可能とすることが可能と思われるが、その場合、メダルの洗浄手段や揚送手段などの付随構成要素をそれぞれに配設しなければならず、コストが嵩んでしまうとともに、大幅な改修作業が必要となってしまうという不具合があった。
【０００７】
そこで、本出願人は、かかる不具合を解消すべく、小径メダルと大径メダルとを選別可能なメダル選別手段をメダル補給手段に具備させることを検討するに至った。しかしながら、設置島に設置すべき遊技機を入れ替えた際、小径メダルを使用する遊技機から大径メダルを使用する遊技機に変更され、或いは大径メダルを使用する遊技機から小径メダルを使用する遊技機に変更されることがあるが、そのような変更にメダル供給搬送手段を対応させるのが困難であることが予想される。
【０００８】
さらに、本出願人は、上記不具合の解消の検討とともに、以下の事項も検討するに至った。すなわち、メダル供給搬送手段を、搬送コンベア等から成るメダル搬送部が形成された本体と、該本体上に取り付けられるとともに、メダル搬送部における遊技機の設置箇所に対応する部位に開口が形成された取付部材とで構成させ、遊技機に対して任意選択的にメダルを供給する供給手段（スクレーパ等）を取付部材の所定位置に取り付けるものとした場合、本体に対する取付部材の取り付け作業をスムーズ且つ容易とすべく、取付部材に爪部（本体用係止爪部）を一体形成させ、当該本体用係止爪部にて本体に係止させることを検討した。そして、取付部材には、小径メダルを搬送する小径メダル搬送部と大径メダルを搬送する大径メダル搬送部とを隔成するための隔壁が一体形成されたものとし、大径メダルと小径メダルとを同時に搬送可能とすることも検討した。
【０００９】
しかしながら、その場合、隔壁の製造誤差や取付部材の本体に対する取付誤差等が生じていると、取付部材を本体に対して取り付ける際、当該隔壁を小径メダル搬送部と大径メダル搬送部との間に正確に位置させるのが困難となってしまう虞があった。而して、当該誤差を全くなくすことは事実上困難であることから、隔壁の位置決めを精度よく且つ確実に行わせるのが困難となってしまう。
【００１０】
本発明は、このような事情に鑑みてなされたもので、１つの設置島に小径メダルを使用する遊技機と大径メダルを使用する遊技機とを併設可能とするとともに、設置島に設置すべき遊技機を入れ替えた際、小径メダルを使用する遊技機と大径メダルを使用する遊技機とが変更された場合であっても、そのような変更にメダル供給搬送手段を容易に対応させることができ、更には、隔壁の製造誤差や取付部材の本体に対する取付誤差等が生じていたとしても、当該誤差を吸収させることができ、隔壁の位置決めを精度よく且つ確実に行わせることができる遊技機のメダル補給装置を提供することにある。
【課題を解決するための手段】
【００１１】
請求項１記載の発明は、複数の遊技機が設置される設置島に延設され、それぞれの遊技機に対してメダルを搬送して供給するメダル供給搬送手段と、前記設置島に延設され、それぞれの遊技機から排出されたメダルを回収して搬送するメダル回収搬送手段と、前記メダル回収搬送手段で回収されたメダルを収容するとともに、前記メダル供給搬送手段にメダルを補給するメダル補給手段とを具備するとともに、前記設置島には、互いに異なる外径の大径メダル及び小径メダルが使用される遊技機が設置可能とされた遊技機のメダル補給装置であって、前記メダル補給手段は、前記メダル回収搬送手段で回収されたメダルを小径メダルと大径メダルとに選別するメダル選別手段を具備し、当該メダル選別手段で選別された前記小径メダル又は大径メダルを任意選択的に前記メダル供給搬送手段に補給可能とされるとともに、前記メダル供給搬送手段は、前記メダル補給手段で補給された小径メダルを搬送する小径メダル搬送部、及び前記メダル補給手段で補給された大径メダルを搬送する大径メダル搬送部が形成された本体と、該本体上に取り付けられるとともに、前記小径メダル搬送部側及び大径メダル搬送部側における前記遊技機の設置箇所に対応する部位に開口が形成された取付部材と、該取付部材における前記小径メダル搬送部側の開口又は大径メダル搬送側の開口が形成された部位に脱着自在に取り付けられ、当該小径メダル搬送部又は大径メダル搬送部で搬送される小径メダル又は大径メダルを遊技機に供給可能なシュートと、前記取付部材における前記小径メダル搬送部側の開口又は大径メダル搬送側の開口が形成された部位であって前記シュートが取り付けられない部位に脱着自在に取り付けられ、当該小径メダル搬送部又は大径メダル搬送部に形成された開口を塞ぐ側壁部を有した閉塞部材とを具備し、且つ、前記取付部材には、前記小径メダル搬送部と大径メダル搬送部とを隔成するための隔壁が一体形成されているとともに、当該隔壁の下端部に当該取付部材の長手方向に延びるスリットが形成されて構成され、前記取付部材は、その下部における両側縁部に本体用係止爪部が一体形成されるとともに、当該本体用係止爪部を前記本体に形成された被係止部に係止することにより、当該取付部材を前記本体に取り付け得ることを特徴とする。
【発明の効果】
【００１２】
本発明によれば、メダル補給手段は、メダル回収搬送手段で回収されたメダルを小径メダルと大径メダルとに選別するメダル選別手段を具備し、当該メダル選別手段で選別された小径メダル又は大径メダルを任意選択的にメダル供給搬送手段に補給可能とされ、且つ、取付部材には、小径メダル搬送部と大径メダル搬送部とを隔成するための隔壁が一体形成されているとともに、当該隔壁の下端部に当該取付部材の長手方向に延びるスリットが形成されたので、以下の効果を奏し得る。
【００１３】
すなわち、１つの設置島に小径メダルを使用する遊技機と大径メダルを使用する遊技機とを併設可能とするとともに、設置島に設置すべき遊技機を入れ替えた際、小径メダルを使用する遊技機と大径メダルを使用する遊技機とが変更された場合であっても、そのような変更にメダル供給搬送手段を容易に対応させることができ、且つ、隔壁の製造誤差や取付部材の本体に対する取付誤差等が生じていたとしても、当該誤差を吸収させることができ、隔壁の位置決めを精度よく且つ確実に行わせることができる。
【００１４】
さらに、取付部材は、その下部における両側縁部に本体用係止爪部が一体形成されるとともに、当該本体用係止爪部を本体に形成された被係止部に係止することにより、当該取付部材を本体に取り付け得るので、ネジ等により固定させるものに比べ、本体に対する取付作業性をより向上させることができる。
【図面の簡単な説明】
【００１５】
【図１】本発明の実施形態に係る遊技機のメダル補給装置を示す平面模式図
【図２】同遊技機のメダル補給装置を示す側面模式図
【図３】同遊技機のメダル補給装置におけるメダル補給手段の内部構成を示す正面模式図
【図４】同メダル補給手段の内部構成を示す側面模式図
【図５】同メダル補給手段における振分け手段を示す拡大図
【図６】同遊技機のメダル補給装置におけるメダル供給搬送手段を示す側面模式図
【図７】同メダル供給搬送手段を示す平面模式図
【図８】同メダル供給搬送手段を示す平面拡大図
【図９】同メダル供給搬送手段を示す側面拡大図
【図１０】同メダル供給搬送手段（シュート、閉塞部材及び供給手段を取り付ける前の状態）を示す断面図
【図１１】同メダル供給搬送手段（シュート、閉塞部材及び供給手段を取り付けた後の状態）を示す断面図
【図１２】同メダル供給搬送手段（シュート、閉塞部材及び供給手段を取り付けた後であってシュートと閉塞部材の取付位置を入れ替えた状態）を示す断面図
【図１３】同メダル供給搬送手段における本体を示す断面図
【図１４】同メダル供給搬送手段における取付部材を示す４面図
【図１５】図１４におけるＸＶ−ＸＶ線断面図
【図１６】同取付部材における係止部を示す拡大図
【図１７】同メダル供給搬送手段におけるシュートを示す３面図
【図１８】同メダル供給搬送手段における閉塞部材を示す３面図
【図１９】同メダル供給搬送手段における閉塞取付部材を示す２面図
【発明を実施するための形態】
【００１６】
以下、本発明の実施形態について図面を参照しながら具体的に説明する。
本実施形態に係る遊技機のメダル補給装置は、設置島に設置された複数の遊技機のそれぞれに対してメダルを供給及び回収可能なもので、図１〜１１に示すように、設置島Ｋ１〜Ｋ３のそれぞれの内部に配設されたメダル供給搬送手段１及びメダル回収搬送手段２と、当該設置島Ｋ１〜Ｋ３のそれぞれの一端部に設置されたメダル補給手段３と、設置島Ｋ１の他端部に設置されたメダル計数機４とから主に構成されている。
【００１７】
設置島Ｋ１〜Ｋ３は、遊技場において複数（遊技場によって適宜の数）設置されるとともに、それぞれに複数の遊技機Ｈ（スロットマシンやコインゲーム機などメダルを投入して遊技するもの）が並んで設置されたもので、その内側上部における長手方向には、メダル供給搬送手段１が延設されるとともに、内側下部における長手方向には、メダル回収搬送手段２が配設されている。各設置島Ｋ１〜Ｋ３には、上方に向かって分配タワー２７がそれぞれ形成されており、それぞれの分配タワー２７間には搬送コンベア等から成る渡り手段２８が配設されている。
【００１８】
本実施形態に係る各設置島Ｋ１〜Ｋ３には、互いに異なる外径の大径メダル（直径が３０ｍｍのメダル）及び小径メダル（直径が２５ｍｍのメダル）が使用される遊技機Ｈがそれぞれ設置されている。然るに、大径メダルが使用される遊技機Ｈからメダルの要求信号が発信されると、メダル補給手段３がその要求信号に基づいて、大径メダルを使用する遊技機Ｈか小径メダルを使用する遊技機Ｈかを識別して大径メダルをメダル供給搬送手段１に補給する一方、小径メダルが使用される遊技機Ｈからメダルの要求信号が発信されると、メダル補給手段３がその要求信号に基づいて、大径メダルを使用する遊技機Ｈか小径メダルを使用する遊技機Ｈかを識別して小径メダルをメダル供給搬送手段１に補給するよう構成されている。
【００１９】
各設置島（Ｋ１〜Ｋ３）に形成された分配タワー２７は、設置島内のメダル（本実施形態においては、メダル供給搬送手段１で搬送されるメダル）を上方に揚送するとともに、そのメダルを渡り手段２８を介して隣接する設置島に供給するためのものである。これにより、一の設置島から隣接する他の設置島にメダル（小径メダル又は大径メダル）を供給することができ、他の設置島におけるメダルの不足を回避することができる。尚、本実施形態においては、他の設置島で不足しそうなメダル（小径メダル又は大径メダル）の要求信号が発せられると、その要求信号を受信した一の設置島において、要求されるメダル（小径メダル又は大径メダル）がメダル供給搬送手段１に補給され、渡り手段２８を介して他の設置島に当該メダルが供給されるよう構成されている。
【００２０】
メダル回収搬送手段２は、各設置島（Ｋ１〜Ｋ３）に設置された遊技機Ｈから排出されたメダル（小径メダル及び大径メダル）を回収し、メダル補給手段３まで搬送するためのもので、図２に示すように、一端（図中左端）をメダル補給手段３の筐体３ａ内に臨ませた回収用搬送コンベア２ａを有している。かかる回収用搬送コンベア２ａは、モータＭ１にて駆動可能な駆動ローラＷ１及び従動ローラＷ２に懸架された搬送ベルトを有して成り、各遊技機Ｈから排出されて落下したメダルを受けて、メダル補給手段３内まで搬送し得るよう構成されている。
【００２１】
メダル計数機４は、設置島Ｋ１に隣接して設けられたもので、内部に遊技者が獲得したメダル（小径メダル及び大径メダル）を投入すると、自動的に計数して出力可能とされたものである。かかるメダル計数機４内には、投入されたメダルを収容するための収容空間Ｕが形成されているとともに、当該収容空間Ｕ内のメダルをメダル計数機４外部に搬送するためのコンベア等から成る搬送手段２５が配設されている。そして、搬送手段２５が駆動すると、収容空間Ｕ内のメダル（小径メダル及び大径メダル）が設置島Ｋ１のシュート２６を介してメダル回収搬送手段２に至るよう構成されている。
【００２２】
メダル補給手段３は、メダル回収搬送手段２で回収されたメダル（小径メダル及び大径メダル）を収容するとともに、メダル供給搬送手段１にメダル（小径メダル又は大径メダル）を補給するためのもので、図３〜５に示すように、主に、メダル選別手段５と、振分け手段６と、第１貯留タンク７と、第２貯留タンク８と、搬送コンベア２１と、洗浄手段９と、リフタ１５とが筐体３ａ内に配設されたものである。
【００２３】
メダル選別手段５は、メダル回収搬送手段２で回収されたメダルを小径メダルと大径メダルとに選別するためのものであり、本実施形態においては、メダル選別手段５ａと５ｂの２つを有している。これらメダル選別手段５ａ、５ｂは、構成及び機能が同一のものから成り、メダル補給手段３の筐体３ａの上部にそれぞれ設置されている。このメダル選別手段５は、メダルを一時的に収容する収容部ａと該収容部ａ内に配設されてモータＭ２にて作動可能な送出し手段（図示せず）とを有しており、当該モータＭ２を駆動させて送出し手段を作動させることにより、収容部ａから１枚ずつメダル（小径メダル及び大径メダル）を送り出し可能とされている。
【００２４】
送り出されたメダルは、収容部ａと連通したメダル通路１６を通過するよう構成されているとともに、図５に示すように、当該メダル通路１６の一部には、小径メダルのみを落下させ得る径の切欠き１６ａが形成されている。而して、メダル選別手段５の収容部ａから送り出されたメダルがメダル通路１６を通過する過程で、大径メダルは、大径メダル通路２９に至るとともに、小径メダルは、切欠き１６ａから落下して小径メダル通路３０に至るようになっている。
【００２５】
更に、メダル通路１６における切欠き１６ａより上流側には、小径メダル及び大径メダルを検知する検知手段が配設されるとともに、小径メダル通路３０にも小径メダルを検知する同様の検知手段が配設されている。そして、これら一対の検知手段がそれぞれ通過するメダルを検知してカウントすることにより、メダル通路１６を通過する小径メダル及び大径メダルの個数（Ｎ１）と、小径メダル通路３０を通過する小径メダルの個数（Ｎ２）を把握することができる。これにより、Ｎ１からＮ２を減算した値が選別された大径メダルの個数であり、Ｎ２が選別された小径メダルの個数であるり、これら個数が補給制御手段２４にて認識されるようになっている。
【００２６】
振分け手段６は、図５に示すように、大径メダル通路２９の所定部位を開閉可能な開閉手段２９ａと、小径メダル通路３０の所定部位を開閉可能な開閉手段３０ａと、揺動によってメダルの落下経路を選択可能な振分け部材３４とから主に構成されている。尚、図中符号３１は、開閉手段３０ａの開閉動作を行わせるソレノイド、符号３３は、振分け部材３４の揺動動作を行わせるソレノイドを示している。また、開閉手段２９ａは、図示しないソレノイド（ソレノイド３１と同様のソレノイド）によって開閉動作が行われるよう構成されている。
【００２７】
然るに、開閉手段２９ａ、３０ａが閉じた状態では、メダル選別手段５で選別された小径メダル及び大径メダルがそれぞれ小径メダル通路３０及び大径メダル通路２９を介してシュート１７に至り、メダル供給搬送手段１の小径メダル搬送部３６ａ、大径メダル搬送部３６ｂにそれぞれ補給される。また、開閉手段２９ａ又は３０ａが開いた状態では、メダル選別手段５で選別された小径メダル及び大径メダルがそれぞれ振分け部材３４に至ることとなる。尚、図中符号３２は、開閉手段３０ａが開いた状態のとき、小径メダルを振分け部材３４まで案内するシュートを示している。
【００２８】
振分け部材３４は、ソレノイド３３を駆動させることにより、図中破線で示した状態と二点鎖線で示した状態とで揺動可能とされており、破線で示した状態では、大径メダルを大径メダル用ジョッキ１８ａに落下させて収容させ、小径メダルを小径メダル用ジョッキ１８ｂに落下させて収容させるとともに、二点鎖線で示した状態では、大径メダルを第１貯留タンク７に落下させて収容させ、小径メダルを第２貯留タンク８に落下させて収容させるものである。尚、図中符号３５は、振分け部材３４で振り分けられた大径メダルを第１貯留タンク７まで案内する通路を示しており、これと同様の通路（図示せず）（小径メダルを第２貯留タンク８まで案内する通路）も第２貯留タンク８側に配設されている。
【００２９】
即ち、振分け手段６の動作によって、メダル選別手段５で選別された小径メダル及び大径メダルを、メダル供給搬送手段１の小径メダル搬送部３６ａ及び大径メダル搬送部３６ｂにそれぞれ補給する経路と、小径メダル用ジョッキ１８ｂ及び大径メダル用ジョッキ１８ａにそれぞれ収容させる経路と、第１貯留タンク７及び第２貯留タンク８にそれぞれ収容させる経路とに切換可能とされているのである。尚、小径メダル用ジョッキ１８ｂ及び大径メダル用ジョッキ１８ａは、それぞれメダル補給手段３から取り外し可能とされており、手作業にて任意の遊技機Ｈにメダルを補給することが可能とされている。
【００３０】
第１貯留タンク７は、メダル選別手段５で選別された小径メダル又は大径メダルの一方を専ら貯留するためのもので、本実施形態においては、大径メダルを専ら貯留可能とされている。かかる第１貯留タンク７は、大径メダルを所定量貯留可能とされており、当該第１貯留タンク７内のメダル（大径メダル）が所定量に達したことを検知する第１検知手段７ａが配設されている。この第１検知手段７ａは、接触式センサ又は非接触式センサ等を用いることができる。
【００３１】
また、第１貯留タンク７は、その底面にメダルを自重にて落下させて吐出可能な吐出口７ｂが形成されるとともに、当該吐出口７ｂは、撹拌手段２０の下端部にて塞がれている。この撹拌手段２０は、螺旋状部材から成り、モータ１９にて回転駆動可能とされてたもので、回転駆動によって第１貯留タンク７内のメダルを撹拌させつつ吐出口７ｂまで導き、当該吐出口７ｂから吐出可能とされている。
【００３２】
第２貯留タンク８は、メダル選別手段５で選別された小径メダル又は大径メダルの他方を貯留（本実施形態においては小径メダルを貯留）するとともに、当該小径メダル及び大径メダルを混合させて貯留可能なものである。即ち、第１貯留タンク７が大径メダルを専ら貯留するのに対し、第２貯留タンク８は、通常状態においては、小径メダルを収容するとともに、所定条件下で、小径メダルと大径メダルとを混合させて貯留可能とされているのである。
【００３３】
また、第２貯留タンク８には、当該第２貯留タンク８内のメダル（小径メダル）が所定量に達したことを検知する第２検知手段８ａが配設されている。この第２検知手段８ａは、第１検知手段７ａと同様、接触式センサ又は非接触式センサ等を用いることができる。更に、第２貯留タンク８は、その底面にメダルを自重にて落下させて吐出可能な吐出口８ｂが形成されるとともに、当該吐出口８ｂは、撹拌手段２０の下端部にて塞がれている。この撹拌手段２０は、第１貯留タンク７内に配設されたものと同様、螺旋状部材から成り、モータ１９にて回転駆動可能とされたもので、回転駆動によって第２貯留タンク８内のメダルを撹拌させつつ吐出口８ｂまで導き、当該吐出口８ｂから吐出可能とされている。
【００３４】
然るに、第２貯留タンク８は、第１貯留タンク７よりメダルの貯留量が多く設定（即ち、第１貯留タンク７より大きな容量）されており、第２貯留タンク８にて小径メダル及び大径メダルを混合させて貯留させる際、より多くのメダルを貯留させることができるようになっている。尚、本実施形態においては、第１貯留タンク７に大径メダルを専ら貯留させるとともに、第２貯留タンク８に小径メダルを貯留させるものとされているが、これに代え、第１貯留タンク７に小径メダルを専ら貯留させるとともに、第２貯留タンク８に大径メダルを貯留させるものとしてもよい。
【００３５】
ここで、本実施形態においては、メダル選別手段で選別された小径メダル又は大径メダルの一方（本実施形態においては大径メダル）を所定量貯留可能な第１貯留タンク７と、第１貯留タンク７と相違するメダルの貯留量とされるとともに、メダル選別手段５で選別された小径メダル又は大径メダルの他方（本実施形態においては小径メダル）を所定量貯留する第２貯留タンク８とを有しており、特に本実施形態においては、第２貯留タンク８は、第１貯留タンク７よりメダルの貯留量が多く設定（即ち、第１貯留タンク７より大きな容量）されている。
【００３６】
而して、１つの設置島（Ｋ１〜Ｋ３）に設置された遊技機において、小径メダルを使用する遊技機Ｈの数と大径メダルを使用する遊技機Ｈの数とに応じて、第１貯留タンク７若しくは第２貯留タンク８の何れに小径メダル又は大径メダルを貯留させるのか任意設定することができる。従って、１つの設置島（Ｋ１〜Ｋ３）に小径メダルを使用する遊技機Ｈと大径メダルを使用する遊技機Ｈとを併設可能とするとともに、当該設置島に設置された遊技機（Ｋ１〜Ｋ３）に対応させつつ小径メダル及び大径メダルを効率的且つスムーズに貯留させることができる。
【００３７】
即ち、設置島（Ｋ１〜Ｋ３）に設置される遊技機Ｈに応じて第１貯留タンク７又は第２貯留タンク８に貯留させるメダルの種類が設定可能とされたので、設置島（Ｋ１〜Ｋ３）に設置された遊技機Ｈにより確実に対応させつつ小径メダル及び大径メダルを更に効率的且つスムーズに貯留させることができるのである。尚、本実施形態においては、第２貯留タンク８は、第１貯留タンク７よりメダルの貯留量が多く設定（即ち、第１貯留タンク７より大きな容量）されているが、これに代えて、第２貯留タンクは、第１貯留タンクよりメダルの貯留量が少なく設定（即ち、第１貯留タンク７より小さな容量）されたものとしてもよい。
【００３８】
搬送コンベア２１は、第１貯留タンク７の吐出口７ｂ下方と第２貯留タンク８の吐出口８ｂ下方とに亘って配設された搬送ベルト２１ａを有したもので、搬送方向を異ならせることが可能とされたものである。而して、搬送コンベア２１の搬送方向を図３中左から右へ設定した場合、第１貯留タンク７の吐出口７ｂ又は第２貯留タンク８の吐出口８ｂから吐出されたメダルが同図中右側へ搬送され、リフタ１５の受け部２３に至る一方、搬送コンベア２１の搬送方向を同図中右から左へ設定した場合、第１貯留タンク７の吐出口７ｂ又は第２貯留タンク８の吐出口８ｂから吐出されたメダルが同図中左側へ搬送され、受け通路２２を介して受け部１０に至るよう構成されている。
【００３９】
洗浄手段９は、メダル回収搬送手段２で回収されたメダルを洗浄するためのもので、整列コンベア１１と、洗浄コンベア１２、１３とを有している。整列コンベア１１は、受け部１０で受けたメダル（小径メダル及び大径メダル）を整列させつつ搬送するものである。この整列コンベア１１の終端側に洗浄コンベア１２が配設されており、更に当該洗浄コンベア１２の終端側に洗浄コンベア１３が続いて配設されている。これら洗浄コンベア１２は、所望の洗浄液で浸された部材をメダル表面及び裏面に押圧させることにより当該メダル表面と裏面とを払拭可能とされたものである。尚、洗浄コンベア１３の終端側には、リフタ１５の受け部１４が形成されており、洗浄コンベア１２、１３にて洗浄されたメダルが受け部１４を介してリフタ１５に至るようになっている。
【００４０】
リフタ１５は、メダル補給手段３の筐体３ａ内において上下に延設された搬送手段から成り、受け部２３又は受け部１４で受けたメダル（小径メダル及び大径メダル）を上方に搬送し、シュート１５ａを介してメダル選別手段５に至らせるためのものである。而して、搬送コンベア２１にて受け部２３に搬送されたメダル及び洗浄手段９にて洗浄されたメダルは、リフタ１５によってメダル選別手段５まで搬送され、小径メダルと大径メダルとに選別されることとなる。
【００４１】
補給制御手段２４は、例えばマイコン等を具備した制御盤から成るもので、各遊技機Ｈからメダルの要求信号を受けるとともに、当該要求信号に応じた動作を行わせ得るものである。例えば、補給制御手段２４が遊技機Ｈ側から大径メダルの要求信号を受信すると、第１貯留タンク７内の撹拌手段２０を動作させるとともに、搬送コンベア２１を左向きの搬送方向にて駆動させる。このとき、振分け手段６の開閉手段２９ａ、３０ａは閉じた状態とされる。これにより、第１貯留タンク７内の大径メダルは、洗浄手段９にて洗浄された後、リフタ１５にて搬送されるとともに、メダル選別手段５にて選別された後、メダル供給搬送手段１に補給される。
【００４２】
また、補給制御手段２４が遊技機Ｈ側から小径メダルの要求信号を受信すると、第２貯留タンク８内の撹拌手段２０を動作させるとともに、搬送コンベア２１を左向きの搬送方向にて駆動させる。このとき、振分け手段６の開閉手段２９ａ、３０ａは閉じた状態とされる。これにより、第２貯留タンク８内の小径メダルは、洗浄手段９にて洗浄された後、リフタ１５にて搬送されるとともに、メダル選別手段５にて選別された後、メダル供給搬送手段１に補給される。
【００４３】
尚、遊技機Ｈ側に急いでメダルを補給させる場合、搬送コンベア２１を右向きの搬送方向にて駆動させる。この場合、第１貯留タンク７又は第２貯留タンク８内のメダルは、洗浄手段９を介さずリフタ１５に至り、当該リフタ１５にて搬送されるとともに、メダル選別手段５にて選別された後、メダル供給搬送手段１に補給されることとなる。而して、本実施形態によれば、第１貯留タンク７又は第２貯留タンク８で貯留された小径メダル又は大径メダルを任意選択的にメダル供給搬送手段１に補給可能とされている。
【００４４】
ここで、本実施形態においては、第１検知手段７ａによりメダル（大径メダル）が所定量に達したことを検知したことを条件として、メダル選別手段５にて選別されて第１貯留タンク７に貯留させるべきメダル（大径メダル）を第２貯留タンク８にオーバーフローさせて、当該第２貯留タンク８にて貯留させるよう構成されている。これにより、１つの設置島に小径メダルを使用する遊技機Ｈと大径メダルを使用する遊技機Ｈとを併設させた際、よりスムーズに小径メダル及び大径メダルを貯留させることができる。
【００４５】
更に、本実施形態に係るメダル補給手段３は、第１貯留タンク７又は第２貯留タンク８を介さずメダル選別手段５で選別された小径メダル又は大径メダルをメダル供給搬送手段１に補給可能とされている。即ち、補給制御手段２４が遊技機Ｈ側からメダル（小径メダル又は大径メダル）の要求信号を受信したとき、メダル回収搬送手段２にて回収された後、洗浄手段９にて洗浄されたメダルをメダル選別手段５にて選別させ、そのメダルを直接（第１貯留タンク７又は第２貯留タンク８で貯留させることなく）メダル供給搬送手段１に補給することができるのである。これにより、メダル回収搬送手段２で回収された小径メダル又は大径メダルを素早くメダル供給搬送手段１に補給することができる。
【００４６】
更に本実施形態においては、第１検知手段７ａ又は第２検知手段８ａの何れか一方によりメダルが所定量に達したことを検知したことを条件として、その検知がなされた第１貯留タンク７又は第２貯留タンク８内のメダルをメダル供給搬送手段１に補給させるとともに、その補給したメダルをメダル回収搬送手段２にて回収させることにより当該メダルを循環させるよう構成されている。これにより、第１貯留タンク７又は第２貯留タンク８の何れか一方に偏ってメダルが貯留されてしまうのを抑制することができ、より効率的に小径メダル及び大径メダルを貯留させることができる。
【００４７】
また更に、上記の如きメダルの循環時、設置島Ｋ１に並設されたメダル計数機４内の搬送手段２５（図２参照）を駆動させて当該メダル計数機４で計数されたメダルをメダル回収搬送手段２に至らせて、当該メダル計数機４内のメダルも併せて循環させるようにするのが好ましい。この場合、よりスムーズ且つ確実に第１貯留タンク７又は第２貯留タンク８の一方に偏ってメダルが貯留されてしまうのを抑制することができる。
【００４８】
メダル供給搬送手段１は、メダル補給手段３から補給されたメダル（小径メダル及び大径メダル）をそれぞれの遊技機Ｈに対して搬送して供給するための搬送コンベアから成るもので、図６〜１９に示すように、左右一対に配設された小径メダル搬送部３６ａ及び大径メダル搬送部３６ｂを構成する本体１ａと、該本体１ａ上に取り付けられた取付部材１ｂとでメダルの搬送部が構成されるとともに、これら小径メダル搬送部３６ａ及び大径メダル搬送部３６ｂにおける長手方向に亘って所定位置に配設された供給手段Ａ、シュート３８及び閉塞手段４４等から主に構成されている。
【００４９】
小径メダル搬送部３６ａ及び大径メダル搬送部３６ｂは、その基端（図６、７中左端）がメダル補給手段３の筐体３ａ内に臨ませて配設されており、当該基端側の従動プーリＲ２、先端（図６、７中右端）側の駆動プーリＲ１に懸架された左右一対の搬送ベルトを有して成るものである。尚、本実施形態に係る小径メダル搬送部３６ａ及び大径メダル搬送部３６ｂは、テンションプーリＲ３にて所定のテンションが付与されるとともに、駆動プーリＲ１は、モータＭ３の出力軸Ｍａに連結されている。
【００５０】
一方、小径メダルを排出させるシュート１７の下方には、小径メダル搬送部３６ａの基端部が位置するとともに、大径メダルを排出させるシュート１７の下方には、大径メダル搬送部３６ｂの基端部が位置している。而して、モータＭ３を駆動させることにより、小径メダル搬送部３６ａ及び大径メダル搬送部３６ｂを動作させ、シュート１７から排出された小径メダルを小径メダル搬送部３６ａにて搬送させるとともに、シュート１７から排出された大径メダルを大径メダル搬送部３６ｂにて搬送させるよう構成されている。
【００５１】
本体１ａは、メダル補給手段３で補給された小径メダルを搬送する小径メダル搬送部３６ａ、及びメダル補給手段３で補給された大径メダルを搬送する大径メダル搬送部３６ｂが形成された金属製長尺状部材（例えばアルミ材等の軽金属が好ましい）から成る。かかる本体１ａの左右縁部には、図１３に示すように、その長手方向に沿って延びる凹溝１ａｂ及び被係止部１ａａが形成されているとともに、当該本体１ａの中央部には、その長手方向に沿って延びる溝状の被挿入部１ａｃが形成されている。
【００５２】
取付部材１ｂは、本体１ａ上に取り付けられる樹脂製部材から成るとともに、図１４に示すように、小径メダル搬送部３６ａ側及び大径メダル搬送部３６ｂ側における遊技機Ｈの設置箇所に対応する部位に開口１ｂａが形成されている。また、取付部材１ｂは、その下部における前後の両側縁部（本実施形態においては取付部材１ｂの４隅）に本体用係止爪部Ｄ２ａが一体形成されるとともに、当該両側縁部における開口１ｂａの下部にも同様の本体用係止爪部Ｄ２ｂ（図１５参照）が一体形成されている。この本体用係止爪部Ｄ２ｂは、取付部材１ｂにおける開口１ｂａの下部に形成されており、被係止部１ａａに係止させることにより、取付部材１ｂの開口１ｂａの下部を本体１ａに連結させることができるようになっている。
【００５３】
而して、取付部材１ｂを本体１ａ上に取り付ける際、４つの本体用係止爪部Ｄ２ａ及び２つ（左右一対）の本体用係止爪部Ｄ２ｂをそれぞれ当該本体１ａの被係止部１ａａに係止させる。これにより、取付部材１ｂの４隅及び開口１ｂａの下部が本体１ａに係止されることとなる。また、取付部材１ｂが本体１ａに取り付けられた状態では、本体用係止爪部Ｄ２ａ、Ｄ２ｂが凹溝１ａｂ内に収まるよう構成されているとともに、本体用係止爪部Ｄ２ｂの背面側に後述する閉塞部材４４の押圧部４４ｃも収まり得るようになっている（図１５参照）。
【００５４】
さらに、取付部材１ｂの中央には、小径メダル搬送部３６ａと大径メダル搬送部３６ｂとを隔成するための隔壁１ｂｂが一体形成されている。この隔壁１ｂｂは、本体１ａに取付部材１ｂが取り付けられた状態で、図１１に示すように、小径メダル搬送部３６ａと大径メダル搬送部３６ｂとの間に位置し、これらを区画形成するよう構成されたもので、本実施形態においては、その下端部１ｂｃ（本体１ａに取り付けられる側）に取付部材１ｂの長手方向に延びるスリット１ｂｄが形成されている。
【００５５】
かかるスリット１ｂｄは、図１５に示すように、隔壁１ｂｂの下端部１ｂｃの下面から上方に向かって形成され、当該下端部１ｂｃを同図中左右一対の部位に分離させている。そして、本体１ａに取付部材１ｂが取り付けられる際、本体用係止爪部Ｄ２ａ、Ｄ２ｂが本体１ａの被係止部１ａａに係止するとともに、隔壁１ｂｂの下端部１ｂｃが本体１ａの被挿入部１ａｃに挿通し得るようになっている。また、本実施形態に係る隔壁１ｂｂの下端部１ｂｃは、その両側面がテーパ状に形成されており、本体１ａの被挿入部１ａｃに対する隔壁１ｂｂの下端部１ｂｃの挿入作業を容易に行えるよう構成されている。
【００５６】
これにより、取付部材１ｂを本体１ａに取り付けるべく、本体用係止爪部Ｄ２ａ、Ｄ２ｂを被係止部１ａａに係止させる過程で、隔壁１ｂｂの下端部１ｂｃを被挿入部１ａｃに挿入させることにより、当該隔壁１ｂｂの位置決めを精度よく且つ確実に行わせることができる。また、隔壁１ｂｂの製造誤差や取付部材１ｂの本体１ｂに対する取付誤差等が生じていたとしても、スリット１ｂｄによって隔壁１ｂｂの下端部１ｂｃを撓ませることができ、当該誤差を吸収させることができる。これにより、取付部材１ｂを本体１ｂに取り付ける作業をよりスムーズに行わせることができる。
【００５７】
なお、メダル供給搬送手段１におけるシュート３８が取り付けられない部位（遊技機Ｈが設置されない位置に対応する部位であって、例えばメダル補給手段３の近傍の本体１ａ）には、図１９に示すような閉塞取付部材１ｃが取り付けられる。かかる閉塞取付部材１ｃは、側面に開口が形成されない部材から成り、本体１ａの被係止部１ａａに係止可能な係止爪１ｃａと、小径メダル搬送部３６ａと大径メダル搬送３６ｂとを隔成する隔壁１ｃｂと、該隔壁１ｃａの下端部１ｃｃに形成されたスリット１ｃｄとが形成されている。
【００５８】
係止爪１ｃａは、取付部材１ｂにおける本体用係止爪部Ｄ２ａ、Ｄ２ｂと同等の機能、隔壁１ｃｂは、取付部材１ｂにおける隔壁１ｂｂと同等の機能、スリット１ｃｄは、取付部材１ｂにおけるスリット１ｂｄと同等の機能を有しているとともに、隔壁１ｃａの下端部１ｃｃは、隔壁１ｂｂの下端部１ｂｃと同様、その両側面がテーパ状に形成されており、本体１ａの被挿入部１ａｃに対する隔壁１ｃｂの下端部１ｃｃの挿入作業を容易に行えるよう構成されている。
【００５９】
この閉塞取付部材１ｃの内壁面（小径メダル搬送部３６ａの両側の内壁面及び大径メダル搬送３６ｂの両側の内壁面）には、内側に膨出した膨出部１ｃｅが一体形成されており、当該内壁面に沿って倒立状態で搬送されるメダル（小径メダル及び大径メダル）を当該膨出部１ｃｅに干渉させて倒すことが可能となっている。これにより、メダル補給手段３から送られたメダルを寝かせた状態に揃えた後、搬送させることができる。
【００６０】
シュート３８は、取付部材１ｂにおける小径メダル搬送部３６ａ側の開口１ｂａ又は大径メダル搬送３６ｂ側の開口１ｂａが形成された部位に脱着自在に取り付けられ、当該小径メダル搬送部３６ａ又は大径メダル搬送部３６ｂで搬送される小径メダル又は大径メダルを遊技機Ｈに供給可能なものである。より具体的には、かかるシュート３８は、図１７に示すように、本体１ａにおける係止爪Ｄ１ａにて係止可能なフランジ部３８ｂが一体形成されたもので、当該係止爪Ｄ１ａに係止された状態で、開口１ｂａと通じる開口３８ａが形成されており、小径メダル搬送部３６ａ又は大径メダル搬送部３６ｂからのメダル（小径メダル又は大径メダル）を内部に至らせることが可能とされている。
【００６１】
然るに、シュート３８を小径メダル搬送部３６ａ側の係止爪Ｄ１ａ、又は大径メダル搬送部３６ｂ側の係止爪Ｄ１ａに対して選択的に係止させることができ、任意位置での脱着が自在とされている。なお、シュート３８におけるフランジ部３８ｂの下部には、引掛部３８ｃが一体的に形成されており、シュート３８を係止爪Ｄ１ａに係止させた状態で、当該引掛部３８ｃが凹溝１ａｂに引っ掛かるようになっている。また、シュート３８は、その下端の吐出口にフレキシブルチューブから成る補給管Ｔが連結されており、この補給管Ｔを介して各遊技機Ｈと連結されている。而して、シュート３８内に至ったメダル（小径メダル又は大径メダル）は、補給管Ｔを介して遊技機Ｈに供給されるよう構成されている。
【００６２】
供給手段Ａは、小径メダル搬送部３６ａ又は大径メダル搬送部３６ｂで搬送されるメダル（小径メダル又は大径メダル）を所望の位置に係止されたシュート３８に対して選択的に供給可能なもので、取付部材１ｂにおける小径メダル搬送部３６ａ又は大径メダル搬送部３６ｂの上方の部位に脱着自在とされている。かかる供給手段Ａは、フレーム３９にて支持されたソレノイド４０と、ソレノイド４０により揺動可能な揺動部材４３と、該揺動部材４３に取り付けられたスクレーパ３７とを有している。なお、フレーム３９は、ソレノイド４０、揺動部材４３及びスクレーパ４０を支持するための金具で構成されている。
【００６３】
より具体的に説明すると、ソレノイド４０の作動軸４０ａには、アーム部４２を介して揺動部材４３が連結されているとともに、当該揺動部材４３は、軸Ｌ１を中心として揺動可能とされている。そして、通常状態（ソレノイド４０への通電がなされない状態）においては、揺動部材４３はコイルスプリング４１の付勢力により、図９中２点鎖線で示した状態とされており、スクレーパ３７が小径メダル搬送部３６ａ又は大径メダル搬送部３６ｂから離間した状態となっている。かかる状態では、小径メダル搬送部３６ａ又は大径メダル搬送部３６ｂで搬送されるメダルは、スクレーパ３７の下方を通過することとなる。
【００６４】
然るに、ソレノイド４０への通電がなされると、作動軸４０ａがコイルスプリング４１の付勢力に抗してアーム部４２を引っ張り、軸Ｌ１を中心として揺動部材４３を揺動させることによりスクレーパ３７を小径メダル搬送部３６ａ又は大径メダル搬送部３６ｂに近接させる。かかる状態では、小径メダル搬送部３６ａ又は大径メダル搬送部３６ｂで搬送されるメダルは、スクレーパ３７と干渉してその部位における開口１ｂａ側に搬送の向きが変わることとなり、その開口１ｂａの縁部に取り付けられたシュート３８内に至ることとなる。
【００６５】
ここで、供給手段Ａ及びシュート３８は、小径メダル搬送部３６ａ側、又は大径メダル搬送部３６ｂ側に任意選択的に取り付けられることにより、遊技機Ｈに対応した任意位置に取り付け可能とされている。即ち、小径メダルを使用する遊技機Ｈに対しては、供給手段Ａ及びシュート３８を小径メダル搬送部３６ａ側に取り付けるとともに、大径メダルを使用する遊技機Ｈに対しては、供給手段Ａ及びシュート３８を大径メダル搬送部３６ｂ側に取り付けることにより、適宜のメダルを供給可能とされているのである。
【００６６】
更に、本実施形態に係る供給手段Ａは、スクレーパ３７の向きを任意変更可能とされている。具体的には、スクレーパ３７は、図８に示すように、揺動部材４３に形成された軸Ｌ２を中心として回動自在とされるとともに、ネジｎにて当該揺動部材４３に対して固定可能とされている。尚、図中の符号４３ａは、スクレーパ３７の回動時、ネジｎの干渉を回避するべく弧状に形成された切欠きを示している。
【００６７】
而して、小径メダル搬送部３６ａ側に取り付けられた供給手段Ａを大径メダル搬送部３６ｂ側に取り付ける場合、或いは大径メダル搬送部３６ｂ側に取り付けられた供給手段Ａを小径メダル搬送部３６ａ側に取り付ける場合、ネジｎを緩めてスクレーパ３７を回動させてその向きを変更した後、ネジｎを再び締めて当該スクレーパ３７を固定させる。これにより、供給手段Ａを小径メダル搬送部３６ａ又は大径メダル搬送部３６ｂの何れにも容易に取り付け可能とされている。また、本実施形態においては、切欠き４３ａの途中でネジｎを締め付けることができることから、スクレーパ３７の角度を任意に調整することができ、メダルの種類に応じたスクレーパ３７の角度とすることができる。
【００６８】
一方、供給手段Ａ及びシュート３８が取り付けられた側と反対側の小径メダル搬送部３６ａ又は大径メダル搬送部３６ｂの開口１ａａには、閉塞部材４４が取り付けられる。かかる閉塞部材４４は、取付部材１ｂにおける小径メダル搬送部３６ａ側の開口１ｂａ又は大径メダル搬送３６ｂ側の開口１ｂａが形成された部位であってシュート３８が取り付けられない部位に脱着自在に取り付けられ、当該小径メダル搬送部３６ａ又は大径メダル搬送部３６ｂに形成された開口１ｂａを塞ぐ側壁部４４ａを有したものである。
【００６９】
また、本実施形態に係る閉塞部材４４は、図１８に示すように、側壁部４４ａと蓋部４４ｂとが一体的に形成された部材から成り、側壁部４４ａの縁部（具体的には、左側縁部及び右側縁部）には係止爪Ｄ１ａに係止可能なフランジ部４４ａａが形成されている。そして、フランジ部４４ａを係止爪Ｄ１ａで係止させることにより、閉塞部材４４を小径メダル搬送部３６ａ又は大径メダル搬送部３６ｂに取り付け可能とされている。
【００７０】
この閉塞部材４４を取り付けた状態においては、側壁部４４ａが開口１ａａを塞ぐとともに、蓋部４４ｂが小径メダル搬送部３６ａ又は大径メダル搬送部３６ｂの上部を覆うようになっている。これにより、小径メダル搬送部３６ａ又は大径メダル搬送部３６ｂにて搬送される過程において、小径メダル又は大径メダルが、供給手段Ａ及びシュート３８が取り付けられた側と反対側の開口１ａａから意図せず溢れ落ちてしまうのを防止することができる。
【００７１】
ここで、本実施形態に係る閉塞部材４４は、図１５に示すように、取付部材１ｂに取り付けられた状態で本体用係止爪部Ｄ２ｂを係止側（本体１ａの被係止部１ａａ側）に向かって押圧する押圧部４４ｃが形成されている。かかる押圧部４４ｃは、側壁部４４ａが更に下方に延びた部位から成り、閉塞部材４４を係止爪Ｄ１ａに係止させて取り付けた状態において、凹溝１ａｂに入り込み（図１５（ｂ）参照）、これにより本体用係止爪部Ｄ２ｂを係止側に向かって押圧し得るようになっている。しかるに、凹溝１ａｂの溝幅は、本体用係止爪部Ｄ２ｂの厚み寸法と押圧部４４ｃの厚み寸法とを略合わせた寸法とされており、当該本体用係止爪部Ｄ２ｂと押圧部４４ｃとが凹溝１ａｂに圧入され、これにより本体用係止爪部Ｄ２ｂが係止側に押圧されるようになっている。
【００７２】
一方、取付部材１ｂに形成された係止爪Ｄ１ａは、当該取付部材１ｂの側面に一体形成された係止部Ｄ１の上端に一体形成されており、シュート３８及び閉塞部材４４の何れも係止可能とされている。係止部Ｄ１は、取付部材１ｂの側面との間にクリアランスｔ（図１６参照）を有して形成されており、かかるクリアランスｔにシュート３８のフランジ部３８ｂ又は閉塞部材４４のフランジ部４４ａａを挿通させて挟持させるとともに、そのフランジ部３８ｂ又は閉塞部材４４の上端に係止爪Ｄ１ａが係止し得るようになっている。
【００７３】
本実施形態に係る係止爪Ｄ１ａは、シュート３８及び閉塞部材４４の何れも係止可能とされており、例えば図１１、１２に示すように、小径メダル搬送部３６ａ側の係止爪Ｄ１ａに係止されたシュート３８、及び大径メダル搬送部３６ｂ側の係止爪Ｄ１ａに係止された閉塞部材４４（図１１参照）を取り外し、小径メダル搬送部３６ａ側の係止爪Ｄ１ａに閉塞部材４４を係止させるとともに、大径メダル搬送部３６ｂ部３６ａ側の係止爪Ｄ１ａにシュート３８を係止させることができる。
【００７４】
さらに、本実施形態においては、取付部材１ｂにおける供給手段Ａが取付可能な部位に、当該供給手段Ａを係止する供給手段用係止爪部Ｄ３ａが一体形成されている。かかる供給手段用係止爪部Ｄ３ａは、図１４に示すように、小径メダル搬送部３６ａ側に４つ、大径メダル搬送部３６ｂ側に４つ形成されており、供給手段Ａを取り付ける際、当該供給手段Ａ（具体的には取付金具）の４隅を係止して固定し得るよう構成されている。
【００７５】
上記実施形態によれば、メダル補給手段３は、メダル回収搬送手段２で回収されたメダルを小径メダルと大径メダルとに選別するメダル選別手段５を具備し、当該メダル選別手段５で選別された小径メダル又は大径メダルを任意選択的にメダル供給搬送手段１に補給可能とされ、且つ、取付部材１ｂは、本体１ａに対して係止可能な本体用係止爪部Ｄ２ｂが一体形成されるとともに、閉塞部材４４は、取付部材１ｂに取り付けられた状態で当該本体用係止爪部Ｄ２ｂを係止側に向かって押圧する押圧部４４ｃが形成されたので、以下の効果を奏し得る。
【００７６】
すなわち、１つの設置島（Ｋ１〜Ｋ３）に小径メダルを使用する遊技機Ｈと大径メダルを使用する遊技機Ｈとを併設可能とするとともに、設置島（Ｋ１〜Ｋ３）に設置すべき遊技機を入れ替えた際、小径メダルを使用する遊技機Ｈと大径メダルを使用する遊技機Ｈとが変更された場合であっても、そのような変更にメダル供給搬送手段１を容易に対応させることができ、且つ、メダル供給搬送手段１を構成する本体１ａに対する取付部材１ｂの取付け作業を容易に行わせるとともに、その取り付けられた取付部材１ｂを本体１ａに対してより強固に保持させることができる。
【００７７】
また、閉塞部材４４は、取付部材１ｂに取り付けられた状態で本体用係止爪部Ｄ２ｂを係止側に向かって押圧する押圧部４４ｃが形成されたので、取付部材１ｂにおける小径メダル搬送部３６ａ側の開口１ｂａ又は大径メダル搬送部３６ｂ側の開口１ｂａであってシュート３８が取り付けられない開口１ｂａを塞ぐ機能、及び本体用係止爪部Ｄ２ｂの係止をより強固に行わせる機能の両方の機能を同時に発揮させることができる。
【００７８】
さらに、閉塞部材４４は、側壁部４４ａと、小径メダル搬送部３６ａ又は大径メダル搬送部３６ｂの上部を覆う蓋部４４ｂとが一体的に形成されたので、取付部材１ｂにおける小径メダル搬送部３６ａ側の開口１ｂａ又は大径メダル搬送部３６ｂ側の開口１ｂａであってシュート３８が取り付けられない開口１ｂａを塞ぐ機能、本体用係止爪部Ｄ２ｂの係止をより強固に行わせる機能に加え、シュート３８が取り付けられない側の小径メダル搬送部３６ａ又は大径メダル搬送部３６ｂの上部を覆う機能を同時に発揮させることができる。
【００７９】
また更に、取付部材１ｂにおける小径メダル搬送部３６ａ側又は大径メダル搬送部３６ｂ側のシュート３８が配設された部位には、当該小径メダル搬送部３６ａ又は大径メダル搬送部３６ｂで搬送されるメダルを当該シュート３８に対して選択的に供給可能な供給手段Ａが脱着自在とされたので、設置島（Ｋ１〜Ｋ３）に設置すべき遊技機Ｈを入れ替えた際、小径メダルを使用する遊技機Ｈと大径メダルを使用する遊技機Ｈとが変更された場合であっても、そのような変更にメダル供給搬送手段１をより容易に対応させることができる。
【００８０】
また、取付部材１ｂにおける供給手段Ａが取付可能な部位には、当該供給手段Ａを係止する供給手段用係止爪部Ｄ３ａが一体形成されたので、設置島（Ｋ１〜Ｋ３）に設置すべき遊技機Ｈを入れ替えた際、小径メダルを使用する遊技機Ｈと大径メダルを使用する遊技機Ｈとが変更された場合であっても、供給手段Ａの配設部位をより容易に変更しつつ取付部材１ｂに対する取り付けをより安定且つ強固に行わせることができる。
【００８１】
さらに、取付部材１ｂには、小径メダル搬送部３６ａと大径メダル搬送部３６ｂとを隔成するための隔壁１ｂｂが一体形成されているとともに、当該隔壁１ｂｂの下端部１ｂｃに当該取付部材１ｂの長手方向に延びるスリット１ｂｄが形成されているので、隔壁１ｂｂの製造誤差や取付部材１ｂの本体１ａに対する取付誤差等が生じていたとしても、取付部材１ｂの本体１ａに対する取付時、スリット１ｂｄによって隔壁１ｂｂの下端部１ｂｃを撓ませることができ、当該誤差を吸収させることができる。よって、隔壁１ｂｂの位置決めを精度よく且つ確実に行わせることができる。
【００８２】
また更に、本体１ａの中央部には、その長手方向に沿って延びる溝状の被挿入部１ａｃが形成されるとともに、本体１ａに取付部材１ｂが取り付けられた状態で、隔壁１ｂｂの下端部１ｂｃが当該被挿入部１ａｃに挿入し得る構成とされ、且つ、当該隔壁１ｂｂの下端部１ｂｃの両側面がテーパ状に形成されたので、取付部材１ｂの本体１ａに対する取付時、隔壁１ｂｂをよりスムーズに被挿入部１ａｃに挿入させることができ、作業性を向上させることができる。
【００８３】
また、本実施形態に係る取付部材１ｂは、その下部における両側縁部に本体用係止爪部Ｄ２ａ、Ｄ２ｂが一体形成されるとともに、当該本体用係止爪部Ｄ２ａ、Ｄ２ｂを本体１ａに形成された被係止部１ａａに係止することにより、当該取付部材１ｂを本体１ａに取り付け得るので、ネジ等により固定させるものに比べ、本体１ａに対する取付作業性をより向上させることができる。
【００８４】
さらに、取付部材１ｂには、シュート３８及び閉塞部材４４の何れも係止可能な係止部Ｄ１（係止爪Ｄ１ａ）が一体形成されているので、シュート３８を専ら係止させる係止部と閉塞部材４４を専ら係止させる係止部とをそれぞれ別個に具備させたものに比べ、構成を簡素化することができる。また、シュート３８及び閉塞部材４４には、係止爪Ｄ１ａにて係止可能なフランジ部（３８ｂ、４４ａａ）がそれぞれ一体形成されているので、本体１ａに対する取付作業性をより一層向上させることができる。
【００８５】
また更に、本体用係止爪部Ｄ２ｂは、取付部材１ｂにおける開口１ｂａの下部に形成されており、被係止部１ａａに係止させることにより、取付部材１ｂの開口１ｂａの下部を本体１ａに連結させることができるので、当該取付部材１ｂを本体１ａに取り付ける機能と、当該開口１ｂａの下部を補強する機能を兼ね備えることができる。特に、本実施形態においては、かかる本体用係止爪部Ｄ２ｂを閉塞部材４４の押圧部４４ｃにて係止側に押圧させているので、開口１ｂａの下部の補強をより確実に行わせることができる。
【００８６】
なお、本実施形態によれば、図１０に示すように、シュート３８、供給手段Ａ及び閉塞部材４４がメダル供給搬送手段１の任意位置に脱着自在とされているため、遊技機Ｈに応じたメダルを適宜供給させることができる。また、小径メダル搬送部３６ａと大径メダル搬送部３６ｂとが左右に並設されているため、複数の遊技機Ｈに対して、小径メダルの供給と大径メダルの供給とを同時に行わせることができ、メダルの供給を適宜且つスムーズに行わせることができる。特に本実施形態においては、シュート３８が供給手段Ａとは別部材とされているため、シュート３８のみの取り付け位置の変更が容易とされる。
【００８７】
更に、供給手段Ａは、揺動可能な揺動部材４３と、該揺動部材４３に取り付けられたスクレーパ３７とを有するとともに、揺動部材４３を揺動させることにより、スクレーパ３７を小径メダル搬送部３６ａ又は大径メダル搬送部３６ｂに近接又は離間させて、当該小径メダル搬送部３６ａ又は大径メダル搬送部３６ｂで搬送されるメダルをシュート３８に対して選択的に供給可能とされたので、より確実且つスムーズにシュート３８に対してメダルを供給することができる。
【００８８】
また更に、スクレーパ３７は、その向きを任意変更可能とされたので、設置島（Ｋ１〜Ｋ３）に設置すべき遊技機Ｈを入れ替えた際、小径メダルを使用する遊技機Ｈと大径メダルを使用する遊技機Ｈとが変更された場合であっても、そのような変更にメダル供給搬送手段１をより一層容易に対応させることができる。
【００８９】
また、供給手段Ａ及びシュートが取り付けら３８れた側と反対側の小径メダル搬送部３６ａ又は大径メダル搬送部３６ｂには、当該小径メダル搬送部３６ａ又は大径メダル搬送部３６ｂの側方に形成された開口１ａａを塞ぐ側壁部４４ａと、当該小径メダル搬送部３６ａ又は大径メダル搬送部３６ｂの上部を覆う蓋部４４ｂとが一体的に形成された閉塞部材４４が脱着自在とされたので、供給手段Ａ及びシュート３８が取り付けられない側からメダルが外部に溢れてしまうのを確実に防止させることができる。
【００９０】
以上、本実施形態について説明したが、本発明はこれに限定されるものではなく、例えば取付部材１ｂに取り付けられた状態で本体用係止爪部Ｄ２ｂを係止側に向かって押圧する押圧部４４ｃが閉塞部材４４における他の部位に形成されたものであってもよい。また、本実施形態に係る閉塞部材４４は、側壁部４４ａと蓋部４４ｂとが一体的に形成されているが、蓋部４４ｂを有さないもの（押圧部４４ｃが形成された側壁部４４ａのみ形成されたもの）としてもよい。なお、本実施形態に係る押圧部４４ｃは、本体用係止爪部Ｄ２ｂを係止側に向かって押圧しているが、本体用係止爪部Ｄ２ａを係止側に向かって押圧させるようにしてもよい。
【００９１】
さらに、メダル補給手段３に配設されるメダル選別手段５は、本実施形態の如く２つ並設させたものに限定されず、単独で配設させたもの或いは３つ以上並設させたものとしてもよい。メダル選別手段５は、本実施形態のものに限定されず、メダル回収搬送手段２で回収されたメダルを小径メダルと大径メダルとに選別するものであれば他の形態のものであってもよい。更に、本実施形態においては、メダル補給手段３の筐体３ａ内に洗浄手段９が配設されているが、設置島（Ｋ１〜Ｋ３）内に配設されたものであってもよく、洗浄手段９を具備しないものとしてもよい。
【産業上の利用可能性】
【００９２】
取付部材には、小径メダル搬送部と大径メダル搬送部とを隔成するための隔壁が一体形成されているとともに、当該隔壁の下端部に当該取付部材の長手方向に延びるスリットが形成されて構成され、取付部材は、その下部における両側縁部に本体用係止爪部が一体形成されるとともに、当該本体用係止爪部を本体に形成された被係止部に係止することにより、当該取付部材を本体に取り付け得る遊技機のメダル補給装置であれば、外観形状が異なるもの或いは他の機能が付加されたもの等にも適用することができる。
【符号の説明】
【００９３】
１  メダル供給搬送手段
１ａ  本体
１ｂ  取付部材
１ｂｂ  隔壁
２  メダル回収搬送手段
３  メダル補給手段
４  メダル計数機
５  メダル選別手段
６  振分け手段
７  第１貯留タンク
７ａ  第１検知手段
８  第２貯留タンク
８ａ  第２検知手段
９  洗浄手段
１０  受け部
１１  整列コンベア
１２  洗浄コンベア
１３  洗浄コンベア
１４  受け部
１５  リフタ
１６  メダル通路
１７  シュート
１８ａ  大径メダル用ジョッキ
１８ｂ  小径メダル用ジョッキ
１９  モータ
２０  撹拌手段
２１  搬送コンベア
２２  受け通路
２３  受け部
２４  補給制御手段
２５  搬送手段
２６  シュート
２７  分配タワー
２８  渡り手段
２９  大径メダル通路
３０  小径メダル通路
３１  ソレノイド
３２  シュート
３３  ソレノイド
３４  振分け部材
３５  通路
３６ａ  小径メダル搬送部
３６ｂ  大径メダル搬送部
３７  スクレーパ
３８  シュート
３９  フレーム
４０  ソレノイド
４１  コイルスプリング
４２  アーム部
４３  揺動部材
４４  閉塞部材
４４ｃ  押圧部
Ａ  供給手段
Ｋ１〜Ｋ３  設置島
Ｄ１  係止部
Ｄ１ａ  係止爪
Ｄ２ａ、Ｄ２ｂ  本体用係止爪部
Ｄ３ａ  供給手段用係止爪部
【図１】
0005439573.tif 000002
【図２】
0005439573.tif 000003
【図３】
0005439573.tif 000004
【図４】
0005439573.tif 000005
【図５】
0005439573.tif 000006
【図６】
0005439573.tif 000007
【図７】
0005439573.tif 000008
【図８】
0005439573.tif 000009
【図９】
0005439573.tif 000010
【図１０】
0005439573.tif 000011
【図１１】
0005439573.tif 000012
【図１２】
0005439573.tif 000013
【図１３】
0005439573.tif 000014
【図１４】
0005439573.tif 000015
【図１５】
0005439573.tif 000016
【図１６】
0005439573.tif 000017
【図１７】
0005439573.tif 000018
【図１８】
0005439573.tif 000019
【図１９】
0005439573.tif 000020